(57)【要約】【課題】緩勾配屋根に瓦を葺設する場合、屋根下地に別途防水加工を施す必要がある。【解決手段】谷部２の尻側及び差込み側に沿う水返し６における尻側部位６ａを谷部２の中央側へ序々に高くする様に形成し、谷部２の裏面に、水返し６における尻側部位６ａの上部を収容するための逃がし凹部８を形成し、谷部２の尻側上面に水返し突条１０、１０ａ  を形成し、逃がし凹部８の外周部位における頭側部位及び尻側部位に沿う様に水返し突条１１、１１ａ  、１２、１２ａ  を設けた桟瓦１を葺設する。上下方の桟瓦１、１の隙間から吹き込んできた風が、下方の桟瓦１の上面の水返し突条１０、１０ａ  、上方の桟瓦１の裏面の頭側の水返し突条１１、１１ａ  、下方の桟瓦１の水返し６の尻側部位６ａ及び上方の桟瓦１の裏面の尻側の水返し突条１２、１２ａ  等に衝突、蛇行して、勢いが減ぜられ、含有水分を付着、除去されることから、屋根勾配とは無関係に重ね寸法を一定にしても、水分を含んだ風の内部侵入を阻止出来る。【選択図】        図５
2004293228.tif 000002
【特許請求の範囲】
【請求項１】
裏面側へ緩やかに湾曲する谷部の一側部に桟山部を連続形成すると共に、頭側に垂れを形成し、谷部の尻側及び差込み側に沿う水返しを形成すると共に、該水返しにおける尻側部位を谷部の中央側へ序々に高くする様に形成し、谷部の裏面に、水返しにおける尻側部位を収容するための逃がし凹部を形成し、谷部の尻側上面に幅方向に長い水返し突条を形成し、逃がし凹部の外周部位における頭側部位及び尻側部位に沿う様に水返し突条を設けたことを特徴とする桟瓦。
【請求項２】
水返しを全体的に高く形成すると共に、谷部の尻側下面における尻側部位に相当する部位に凹部を形成したことを特徴とする請求項１記載の桟瓦。
【発明の詳細な説明】
【０００１】
【発明の属する技術分野】
本発明は、緩勾配屋根に葺設しても雨漏りしない桟瓦に関する。
【０００２】
【従来の技術】
従来、緩勾配の瓦屋根にあっては、屋根上を吹き上がる強風が上下瓦間の隙間から吹き込み易いことから、隣接する上方の瓦の重ね寸法を大きく取ることで雨水の浸入を阻止して雨漏りを防止することが考えられる。
【０００３】
研究開発段階や出願段階で先行技術調査を行っておらず、記載すべき先行技術文献を知りません。
【０００４】
【発明が解決しようとする課題】
しかし、重ね寸法を大きく取るほど、葺設状態の瓦の戻り勾配が序々に大きくなる、即ち、瓦自体の勾配が序々に小さくなってしまうため、風圧により上下瓦間の隙間から浸入した雨水が瓦屋根内に到達し易く、雨漏りの原因になってしまうことから、屋根下地側に完全な防水加工を施さねばならず実用的でないなど、解決せねばならない課題があった。
【０００５】
【課題を解決するための手段】
本発明は、上記従来技術に基づく、重ね寸法を大きく取っても雨漏り対策にはならない課題に鑑み、裏面側へ緩やかに湾曲する谷部の一側部に桟山部を連続形成すると共に、頭側に垂れを形成し、谷部の尻側及び差込み側に沿う水返しを形成すると共に、該水返しにおける尻側部位を谷部の中央側へ序々に高くする様に形成し、谷部の裏面に、水返しにおける尻側部位を収容するための逃がし凹部を形成し、谷部の尻側上面に幅方向に長い水返し突条を形成し、逃がし凹部の外周部位における頭側部位及び尻側部位に沿う様に水返し突条を設けた桟瓦を、屋根下地上に葺設すると、屋根勾配とは無関係に重ね寸法を一定のまま葺設しても、上下方の桟瓦の隙間から吹き込んできた風が、下方の桟瓦上面の水返し突条、上方の桟瓦裏面の頭側の水返し突条、下方の桟瓦の水返しの尻側部位及び上方の桟瓦裏面の尻側の水返し突条等に衝突し、蛇行して、勢いが減ぜられると共に、含有水分を付着、除去することによって、屋根の勾配にかかわらず重ね寸法を一定にしても、水分を含んだ風の内部侵入を阻止する様にして、上記課題を解決する。
【０００６】
【発明の実施の形態】
以下本発明の実施の形態を図面に基づいて説明する。
図１、２に示す様に、本発明に係る桟瓦１における他側部を、裏面側へ緩やかに湾曲する谷部２とすると共に、該谷部２の一側部に桟山部３を連続形成し、谷部２の尻側裏面に一対の引掛け４、４ａを一体突設している。又、桟瓦１の頭側に垂れ５を形成している。
【０００７】
谷部２の尻側及び差込み側に沿う水返し６を形成すると共に、該水返し６における尻側部位６ａの下方湾曲した上面の曲率を谷部２の上面の曲率より大きくすることで、水返し６を谷部２の中央側へ序々に高くする様に形成している。他方、谷部２の尻側下面における水返し６に相当する部位に肉厚を略均一にするための凹部７を形成し、該凹部７により、結束状態における下方の桟瓦１の水返し６を収容可能にすることで、桟瓦１の水返し６を全体的に高く形成することが可能になる。
谷部２の裏面に、葺設状態における下方の桟瓦の水返し６を収容するための、桟瓦１の幅方に長い逃がし凹部８を形成している。尚、必要に応じて、谷部２の表面側における逃がし凹部８に相当する部位に、肉厚を確保するための膨出部（図示せず）を形成する様にしている。
【０００８】
谷部２の尻側上面に幅方向に長い水返し突条１０、１０ａ  を形成し、差込み側の一方の水返し突条１０の両端部及び他方の水返し突条１０ａ  の内端部を頭側へ屈曲している。
又、谷部２の裏面にして逃がし凹部８の外周部位における頭側部位に沿う様に水返し突条１１、１１ａ  を、尻側部位に沿う様に水返し突条１２、１２ａ  を列設している。又、水返し突条１１、１１ａ  間及び水返し突条１２、１２ａ  間の隙間を、谷部２の裏面における最底部に位置する様に形成している。
又、桟瓦１の差込み側の上面に、水返し６における差込み側部位６ｂと平行な水返し突条１３を形成し、該水返し突条１３における尻側端部を内方への屈曲部１３ａ  とし、葺設状態における下方の桟瓦１の水返し突条１３における屈曲部１３ａ  の延長線上に、上方の桟瓦１の頭側の水返し突条１１、１１ａ  が位置する様に、屈曲部１３ａ  及び水返し突条１１、１１ａ  を形成している。
【０００９】
谷部２の尻側裏面における凹部７より頭側部位の中央部位に平坦部１４を形成して、葺設状態において谷部２の裏面が横桟Ａに当接しない様にしている。
上記平坦部１４は、近年、構造安全性能を性能試験で確認せねばならないことになって、具体的な試験方法が決められたことと、縦桟Ｂを使用しない工法に使用する場合に横桟Ａの上面に当接させるために形成されている。
【００１０】
桟瓦１の差込み側且つ尻側の上面に凹部１５を形成し、該凹部１５により水返し突条１３が分断されるが、凹部１５の差込み側部位に短い水返し突条１６を形成している。
【００１１】
次に本発明に係る桟瓦の作用について説明する。
図３〜５に示す様に、屋根下地Ｃ上に、本発明に係る桟瓦１を葺設すると、上下隣接する一対の桟瓦１、１における下方の桟瓦１の尻側上方に、上方の桟瓦１における頭側が重なり、該桟瓦１の垂れ５が、下方の桟瓦１の水返し突条１０、１０ａ  より頭側に位置し、上方の桟瓦１の水返し突条１１、１１ａ  が、下方の桟瓦１の水返し突条１０、１０ａ  より尻側に位置し、下方の桟瓦１の水返し６における尻側部位６ａの上部が、上方の桟瓦１の逃がし凹部８内に収容されて、上方の桟瓦１における水返し突条１１、１１ａ  及び水返し突条１２、１２ａ  間に、下方の桟瓦１における水返し６における尻側部位６ａが位置する。
そして、屋根上を強風が吹き上がると、上方の桟瓦１における垂れと下方の桟瓦１における谷部上面間の隙間から、両側方に広がる様に風が吹き込んでくるが、最初に水返し突条１０、１０ａ  に衝突して含有水分の一部を除去し、該水返し突条１０、１０ａ  を乗り越えたり、水返し突条１０、１０ａ  間等を通過した風は、上方の桟瓦１の裏面に形成された水返し突条１１、１１ａ  及び水返し突条１３における尻側屈曲部に衝突して含有水分の一部を除去し、更に該水返し突条１１、１１ａ  と下方の桟瓦１間を通過した風は、下方の桟瓦１における高い水返し６に衝突し、ここまでで含有水分の全て又は大部分を除去する。
万一、風が水返し６を乗り越えても、上方の桟瓦１の裏面側に形成された水返し突条１２、１２ａ  に衝突することで、桟瓦１と屋根下地Ｃ間の内圧が高くなったり、上方の桟瓦１における逃がし凹部８の上面と下方の桟瓦１における水返し６間の隙間が非常に狭いため、それ以上内側へ風が侵入しない。
【００１２】
【発明の効果】
要するに本発明は、裏面側へ緩やかに湾曲する谷部２の一側部に桟山部３を連続形成すると共に、頭側に垂れ５を形成し、谷部２の尻側及び差込み側に沿う水返し６を形成すると共に、該水返し６における尻側部位６ａを谷部２の中央側へ序々に高くする様に形成し、谷部２の裏面に、葺設状態における下方の桟瓦の水返し６における尻側部位６ａの上部を収容するための逃がし凹部８を形成し、谷部２の尻側上面に幅方向に長い水返し突条１０、１０ａ  を形成し、逃がし凹部８の外周部位における頭側部位及び尻側部位に沿う様に水返し突条１１、１１ａ  、１２、１２ａ  を設けたので、かかる桟瓦１を葺設すると、上方の桟瓦１の垂れ５が、下方の桟瓦１の水返し突条１０、１０ａ  より頭側に位置しすると共に、下方の桟瓦１の水返し６における尻側部位６ａの上部が、上方の桟瓦１における水返し突条１１、１１ａ  及び水返し突条１２、１２ａ  間に位置するため、上下方の桟瓦１、１間の隙間から吹き込んでくる風は、水返し突条１０、１０ａ  、水返し突条１１、１１ａ  、水返し６における尻側部位６ａ、水返し突条１２、１２ａ  により蛇行させることで勢いを減ぜられると共に、含有水分が水返し突条１０、１０ａ  、水返し突条１１、１１ａ  、水返し６における尻側部位６ａ及び水返し突条１２、１２ａ  に付着、除去されるため、屋根勾配の大小にかかわらず重ね幅を一定にしても、屋根下地Ｃに特別な防水加工を施さずにそのまま葺設すれば、完成した瓦屋根に高い防水機能を具備させることが出来る。
【００１３】
防水機能を高めるために尻側の水返しを高くすると、結束時に水返しの上部が上方の瓦の裏面に当接して荷姿が厚くなってしまうが、水返し６を全体的に高く形成すると共に、谷部２の尻側下面における尻側部位６ａに相当する部位に凹部７を形成したので、下方の桟瓦１の水返し６の上部が、上方の桟瓦１の凹部７内に収容されるため、荷姿の厚さが尻側の水返しの低い桟瓦と同等にすることが出来る等その実用的効果甚だ大である。
【図面の簡単な説明】
【図１】本発明に係る桟瓦の平面図である。
【図２】図１の裏面図である
【図３】葺設状態における風雨の流入経路の概略を説明する平面図である。
【図４】図１の桟瓦を葺設した状態を示す断面図である。
【図５】図４の要部拡大図である。
【符号の説明】
２        谷部
３        桟山部
５        垂れ
６        水返し
６ａ        尻側部位
７        凹部
８        逃がし凹部
１０、１０ａ    水返し突条
１１、１１ａ    水返し突条
１２、１２ａ    水返し突条
【図１】
2004293228.tif 000003
【図２】
2004293228.tif 000004
【図３】
2004293228.tif 000005
【図４】
2004293228.tif 000006
【図５】
2004293228.tif 000007